(57)【要約】【課題】  本発明は、コンテンツ配信のためのネットワークを構築する複数の端末同士で、個人が所有するコンテンツを当該複数の端末同士で共有できるようにする。【解決手段】  本発明は、コンテンツ配信機能を有するマスター端末２と、当該マスター端末２から配信される映像コンテンツを受信して出力するスレーブ端末３、４、５とによって構成されるコンテンツ共同視聴システム１であって、マスター端末２は、スレーブ端末３、４、５との間で映像コンテンツを共有するか否かを決定し、ディスクドライブ２４により映像コンテンツを再生して出力する際、コンテンツを共有することを決定したスレーブ端末３、４、５に対して、映像コンテンツの再生処理と同時並列的に当該映像コンテンツを配信し、スレーブ端末３、４、５は、マスター端末２から配信された映像コンテンツを受信し、当該受信した映像コンテンツを表示するようにする。【選択図】        図２
2005229522.tif 000002
【特許請求の範囲】
【請求項１】
コンテンツ配信機能を有するマスター端末と、当該マスター端末から配信されるコンテンツを受信して出力するスレーブ端末とを具えるコンテンツ共有システムであって、
上記マスター端末は、
上記スレーブ端末との間で上記コンテンツを共有するか否かを決定するコンテンツ共有決定手段と、
上記コンテンツを再生して出力するコンテンツ再生処理手段と、
上記コンテンツを共有することを決定した上記スレーブ端末に対して、上記コンテンツ再生処理手段による上記コンテンツの再生処理と同時並列的に当該コンテンツを配信するコンテンツ配信手段とを具え、
上記スレーブ端末は、
上記マスター端末から配信された上記コンテンツを受信する受信手段と、
上記受信手段によって受信した上記コンテンツを出力する出力手段とを具える
ことを特徴とするコンテンツ共有システム。
【請求項２】
上記コンテンツ共有決定手段は、上記スレーブ端末が有する固有のログインＩＤを予め登録しておき、上記ログインＩＤを有する上記スレーブ端末からのコンテンツ共有要求を受けたときに上記コンテンツを共有することを決定する
ことを特徴とする請求項１に記載のコンテンツ共有システム。
【請求項３】
上記コンテンツ共有決定手段は、上記コンテンツを共有することを決定したうえで、上記スレーブ端末が上記コンテンツの正規ライセンスを有しているか否かを判定し、
上記コンテンツ配信手段は、上記スレーブ端末が上記正規ライセンスを有していないと判定したとき、上記コンテンツを一旦デコードした後に所定の圧縮方法で再エンコードすることによりビットレートを低減させたうえで上記コンテンツの再生処理と同時並列的に当該スレーブ端末へ配信する
ことを特徴とする請求項１に記載のコンテンツ共有システム。
【請求項４】
上記コンテンツ配信手段は、上記コンテンツを無線により上記スレーブ端末へ配信する場合、無線出力を所定基準値以下に抑制する
ことを特徴とする請求項１に記載のコンテンツ共有システム。
【請求項５】
コンテンツをスレーブ端末へ配信するコンテンツ配信機能を有するマスター端末としてのコンテンツ配信装置において、
上記スレーブ端末との間で上記コンテンツを共有するか否かを決定するコンテンツ共有決定手段と、
上記コンテンツを再生して出力するコンテンツ再生処理手段と、
上記コンテンツを共有することを決定した上記スレーブ端末に対して、上記コンテンツ再生処理手段による上記コンテンツの再生処理と同時並列的に当該コンテンツを配信するコンテンツ配信手段と、
を具えることを特徴とするコンテンツ配信装置。
【請求項６】
コンテンツ配信機能を有するマスター端末によりコンテンツの共有許可を受けた場合に、当該マスター端末が自身で上記コンテンツを再生して出力するのと同時並列的に配信された当該コンテンツを受信する受信手段と、
上記受信手段によって受信した上記コンテンツを出力する出力手段と
を具えることを特徴とするコンテンツ受信装置。
【請求項７】
コンテンツをスレーブ端末へ配信するコンテンツ配信機能を有するマスター端末によるコンテンツ配信方法において、
上記スレーブ端末との間で上記コンテンツを共有するか否かを決定するコンテンツ共有決定ステップと、
上記コンテンツを共有することを決定した上記スレーブ端末に対して、上記コンテンツを自身で再生して出力するのと同時並列的に当該コンテンツを配信するコンテンツ配信ステップと、
を具えることを特徴とするコンテンツ配信方法。
【請求項８】
コンテンツ配信機能を有するマスター端末によりコンテンツの共有許可を受けた場合に、当該マスター端末が自身で上記コンテンツを再生して出力するのと同時並列的に配信された当該コンテンツを受信する受信ステップと、
上記受信手段によって受信した上記コンテンツを出力する出力ステップと
を具えることを特徴とするコンテンツ受信方法。
【請求項９】
コンテンツ配信装置に対して、
コンテンツをスレーブ端末へ配信するに当たって、当該スレーブ端末との間で上記コンテンツを共有するか否かを決定するコンテンツ共有決定ステップと、
上記コンテンツを共有することを決定した上記スレーブ端末に対して、上記コンテンツを自身で再生して出力するのと同時並列的に当該コンテンツを配信するコンテンツ配信ステップと、
を実行させるためのコンテンツ配信プログラム。
【請求項１０】
コンテンツ受信装置に対して、
コンテンツ配信機能を有するマスター端末によりコンテンツの共有許可を受けた場合に、当該マスター端末が自身で上記コンテンツを再生して出力するのと同時並列的に配信された当該コンテンツを受信する受信ステップと、
上記受信手段によって受信した上記コンテンツを出力する出力ステップと
を具えることを特徴とするコンテンツ受信プログラム。
【発明の詳細な説明】
【技術分野】
【０００１】
本発明は、コンテンツ共有システムに関し、例えばコンテンツの配信を行うマスター端末と当該コンテンツの配信を受けるスレーブ端末との間で一つのコンテンツを共有して視聴する場合に適用して好適なものである。
【背景技術】
【０００２】
従来、図８に示すように同一機能を有する携帯型コンテンツ再生装置５１及び５２を複数人数のユーザがそれぞれ所持していた場合であっても、同一時間帯及び同一空間において同一コンテンツを同時に視聴するためには当該コンテンツが格納されたＣＤ(Compact Disc)、ＭＤ(Mini Disc)又はＤＶＤ(Digital Versatile Disc)等の記録媒体５３、５４を人数分だけ用意する必要があり、またインターネット５０を介してそれぞれが同一コンテンツをダウンロードしなければならない。
【０００３】
例えば通勤、通学途中や旅行中において、友人同士で１つのＭＤコンテンツを互いのＭＤプレーヤで同時に再生することは物理的に不可能であった。もちろん、互いのＭＤを交換し合ったり、ヘッドフォンジャックを分岐させるための特別なプラグを使用する等の方法はあるが、前者は全く同時に同一コンテンツを楽しむことはできないし、後者ではＭＤコンテンツを１台のＭＤプレーヤを介して共有するために生じる不便さがあると共に同時に聴取可能な人数にも自ずと限界があった。
【０００４】
一方、ＩＰ(Internet Protocol)ネットワークを使って多数のユーザに映像コンテンツをマルチキャスト通信により配信する方法がこれまでも多数提案されているが、これらは如何に効率良くネットワークリソースを使用して大人数のユーザへコンテンツを配信するかを主眼としている（例えば、特許文献１参照）。
【特許文献１】特開2001-237883号公報
【発明の開示】
【発明が解決しようとする課題】
【０００５】
しかしながらマルチキャスト通信におけるコンテンツ受信側では、インターネット等のネットワークを経由してコンテンツを受け取るために各ユーザがネットワークへの接続操作を行わなければならず、またコンテンツ配信側では当該コンテンツを配信するに際して強固な著作権保護技術を要し、ネットワークのインフラ構築と相まって必ずしも簡易かつ容易にコンテンツ配信を行うことができる訳ではなかった。
【０００６】
本発明は以上の点を考慮してなされたもので、コンテンツ配信のため個人間でネットワークを構築する複数の端末同士において個人が所有するコンテンツを当該複数の端末同士で共有し得るコンテンツ共有システムを提案しようとするものである。
【課題を解決するための手段】
【０００７】
かかる課題を解決するため本発明においては、コンテンツ配信機能を有するマスター端末と、当該マスター端末から配信されるコンテンツを受信して出力するスレーブ端末とを備えるコンテンツ共有システムであって、マスター端末は、スレーブ端末との間でコンテンツを共有するか否かを決定するコンテンツ共有決定手段と、コンテンツを再生して出力するコンテンツ再生処理手段と、コンテンツを共有することを決定したスレーブ端末に対して、コンテンツ再生処理手段によるコンテンツの再生処理と同時並列的に当該コンテンツを配信するコンテンツ配信手段とを設け、スレーブ端末は、マスター端末から配信されたコンテンツを受信する受信手段と、当該受信手段によって受信したコンテンツを出力する出力手段とを設けるようにする。
【０００８】
これにより、予めコンテンツを共有することを許可したスレーブ端末に対してのみ、マスター端末が自身で再生して出力するコンテンツを同時並列的に配信することができるので、時間的及び空間的に限定した範囲内でマスター端末及びスレーブ端末間でコンテンツを共有しながら出力することができる。
【発明の効果】
【０００９】
本発明によれば、予めコンテンツを共有することを許可したスレーブ端末に対してのみ、マスター端末が自身で再生して出力するコンテンツを同時並列的に配信することができるので、時間的及び空間的に限定した範囲内でマスター端末及びスレーブ端末間でコンテンツを共有しながら出力し得るコンテンツ共有システムを実現することができる。
【発明を実施するための最良の形態】
【００１０】
以下、図面について、本発明の一実施の形態を詳述する。
【００１１】
（１）コンテンツ共同視聴システムの全体構成
図１において、１は全体として本発明のコンテンツ共有システムに相当するコンテンツ共同視聴システムを示し、映画、音楽及びゲーム等のコンテンツを表示部１２を介して提供し得ると共にコンテンツ配信機能を有する携帯型コンテンツ再生装置でなるマスター端末２と、当該マスター端末２と同等の機能を有しているがコンテンツ配信を行わない携帯型コンテンツ再生装置でなる第１のスレーブ端末３と、当該第１のスレーブ端末３と同様に映画、音楽及びゲーム等のコンテンツをＬＣＤ(Liquid Crystal Display)１３及び１４を介してユーザへ提供し得るがコンテンツ配信機能を有していない携帯電話機でなる第２のスレーブ端末４及び５とによって構成されている。
【００１２】
これらのマスター端末２、第１のスレーブ端末３、第２のスレーブ端末４及び５は、それぞれIEEE(Institute of Electrical and Electronics Engineers)802.11g等の同一インタフェース及びプロトコルを装備しており、相互に無線通信し得るようになされている。
【００１３】
マスター端末２及び第１のスレーブ端末３は、例えばＣＤやＤＶＤ等のディスク状記録媒体６を再生するためのディスクドライブを搭載しており、当該ディスク状記録媒体６に格納されている映像コンテンツを再生し、表示部１１及び１２にそれぞれ表示し得るようになされている。またマスター端末２は、インターネット９を介してダウンロードした映像コンテンツを表示部１２に表示することも可能である。
【００１４】
なおマスター端末２及び第１のスレーブ端末３は、双方共に同一の機能を有しており、マスター端末２が第１のスレーブ端末３になることも、当該第１のスレーブ端末３がマスター端末２になることも可能であり、双方の端末自体に優劣の差はない。
【００１５】
因みにマスター端末２及び第１のスレーブ端末３は、表上部１１及び１２と対向する面上に操作ボタン等が複数設けられた操作入力部１５及び１６を有し、当該操作入力部１５及び１６を介して各種命令を入力し得るようになされている。
【００１６】
一方、第２のスレーブ端末４及び５は、マスター端末２がディスク状記録媒体６を介して映像コンテンツを再生するとほぼ同時並列的に当該マスター端末２から配信される当該映像コンテンツを受信してＬＣＤ１３及び１４にそれぞれ表示するようになされている。
【００１７】
従ってコンテンツ共同視聴システム１においては、第１のスレーブ端末３、第２のスレーブ端末４及び５からマスター端末２に対してコンテンツ共有要求を受けると、当該マスター端末２がディスク状記録媒体６を介して映像コンテンツを再生し表示部１２に表示するのとほぼ同時並列的に、当該映像コンテンツを第１のスレーブ端末３、第２のスレーブ端末４及び５へ配信し得るようになされている。
【００１８】
ここでコンテンツ共同視聴システム１では、マスター端末２と、第１のスレーブ端末３、第２のスレーブ端末４及び５との間において、マスター端末２から配信する映像コンテンツを第１のスレーブ端末３、第２のスレーブ端末４及び５で受信して表示させることはできるが、当該配信された映像コンテンツを当該第１のスレーブ端末３、第２のスレーブ端末４及び５に記録したり、保存させることはできないようにしている。
【００１９】
具体的には、マスター端末２が配信する映像コンテンツに対して書込禁止フラグを立てておき、第１のスレーブ端末３、第２のスレーブ端末４及び５は当該映像コンテンツに書込禁止フラグが立っている場合には内部メモリの記憶容量に余裕があったとしても映像コンテンツを記録して保存し得ないようになされており、これにより著作権保護の実効を図るようになされている。
【００２０】
（２）マスター端末及び第１のスレーブ端末の回路構成
図２に示すようにマスター端末２は、基本的には第１のスレーブ端末３と同一の回路構成を有している関係上、ここでは便宜上第１のスレーブ端末３の説明については省略する。
【００２１】
マスター端末２は、ＣＰＵ(Central Processing Unit)２０が全体を統括制御すると共に、ＲＯＭ(Read Only Memory)２１に格納された基本プログラムやコンテンツ配信プログラム等のアプリケーションプログラムをＲＡＭ(Random Access Memory)２２上で起動することにより、ディスクドライブ２４による通常の映像コンテンツの再生処理及びIEEE(Institute of Electrical and Electronics Engineers)802.11g等の無線通信モジュール２５によるコンテンツ配信処理を実行するようになされている。
【００２２】
またマスター端末２は、ネットワークインタフェース２６を介してインターネット９から映像コンテンツをダウンロードし得るようになされており、当該ダウンロードした映像コンテンツについてもディスクドライブ２４を介してディスク状記録媒体６に記録し得るようになされている。
【００２３】
なおマスター端末２は、例えばメモリースティック等の半導体メモリでなる外部記憶媒体に対して外部記憶媒体インタフェース２３を介して読み書きし得、第１のスレーブ端末３、第２のスレーブ端末４及び５に対して映像コンテンツの配信を許可するため、当該第１のスレーブ端末３、第２のスレーブ端末４及び５に付与されている固有のログインＩＤ(Identification)を登録情報として予め記憶し得るようになされている。
【００２４】
因みに第１のスレーブ端末３では、ＲＯＭ２１に対して当該第１のスレーブ端末３を示す固有のログインＩＤが記憶されており、これをマスター端末２が記憶すべき登録情報として無線通信モジュール２５を介してマスター端末２へ送信するようになされている。
【００２５】
（３）第２のスレーブ端末の回路構成
図３に示すように第２のスレーブ端末４及び５についても、基本的には第２のスレーブ端末４と第２のスレーブ端末５とは同一の回路構成を有している関係上、便宜上第２のスレーブ端末５の説明については省略する。
【００２６】
第２のスレーブ端末４は、ＣＰＵ３０が全体を統括制御すると共に、ＲＯＭ３１に格納された基本プログラムやコンテンツ受信プログラム等のアプリケーションプログラムをＲＡＭ３２上で起動することにより、通常の携帯電話機としての通話機能や電子メール機能に加えてマスター端末２から配信された映像コンテンツの再生処理を実行するようになされている。
【００２７】
また第２のスレーブ端末４は、コンテンツ受信プログラムに従ってIEEE802.11g等の無線通信モジュール３４によりマスター端末２から配信される映像コンテンツを受信すると共に復調・復号し、ＣＰＵ３０の制御によりＬＣＤ１４に対して当該映像コンテンツを表示するようになされている。
【００２８】
なお第２のスレーブ端末４についても、マスター端末２から映像コンテンツの配信を受けるための固有のログインＩＤがＲＯＭ３１に予め記憶されており、これをマスター端末２が記憶すべき登録情報として無線通信モジュール２５を介してマスター端末２へ送信するようになされている。
【００２９】
（４）ディスク状記録媒体のデータ構造
図４に示すようにディスク状記録媒体６は、単層ディスクでなり、そのデータ格納領域には最も画質の優れた高品位の「通常再生用コンテンツ画像データ」及び「通常再生用コンテンツ音声データ」が記録されていると共に、それよりもビットレートを低減させた「配信用コンテンツ画像データＡ」及び「配信用コンテンツ音声データＡ」と、さらにビットレートを低減させた「配信用コンテンツ画像データＢ」及び「配信用コンテンツ音声データＢ」とが記録されている。
【００３０】
このようにディスク状記録媒体６には、映像コンテンツの内容は同一であっても品質の異なる複数種類のコンテンツデータが記録されており、マスター端末２はいずれの品質のコンテンツデータを第１のスレーブ端末３、第２のスレーブ端末４及び５へ配信するかを自由に決定し得るようになされている。
【００３１】
（５）コンテンツ配信処理手順
続いて、マスター端末２が第１のスレーブ端末３、第２のスレーブ端末４及び５に対して映像コンテンツを配信することにより当該映像コンテンツを共有して共同視聴するためのコンテンツ配信処理手順について図５及び図６のフローチャートを用いて具体的に説明する。
【００３２】
実際上、図５に示すようにステップＳＰ３１において第１のスレーブ端末３、第２のスレーブ端末４及び５は、映像コンテンツの配信を受けるために自身の固有のログインＩＤを登録情報として無線通信モジュール３４によりマスター端末２へ送信し、次のステップＳＰ３２へ移る。
【００３３】
ステップＳＰ３２において第１のスレーブ端末３、第２のスレーブ端末４及び５は、ステップＳＰ３１でログインＩＤを登録情報としてマスター端末２へ送信したので、待機状態になるか自身で映像コンテンツの再生処理を行う等の通常の再生状態へ遷移し、次のステップＳＰ３３へ移る。
【００３４】
このときステップＳＰ１においてマスター端末２は、第１のスレーブ端末３、第２のスレーブ端末４及び５から送信されてくる個々のログインＩＤを登録情報として無線通信モジュール２５を介して受信し、これらを外部記憶媒体インタフェース２３により外部記憶媒体に格納することにより登録し、次のステップＳＰ２へ移る。
【００３５】
ステップＳＰ２においてマスター端末２は、映画等の映像コンテンツが格納されているディスク状記録媒体６が装填されたことを認識すると、次のステップＳＰ３へ移る。
【００３６】
ステップＳＰ３においてマスター端末２は、ディスクドライブ２４によりディスク状記録媒体６から再生する映像コンテンツを当該マスター端末２と第１のスレーブ端末３、第２のスレーブ端末４及び５との間で同時に共有するか否かを、ユーザの操作入力部１６に対するボタン操作に基づいて判定する。
【００３７】
ここで否定結果が得られると、このことはマスター端末２のユーザにより映像コンテンツを第１のスレーブ端末３、第２のスレーブ端末４及び５との間で共有する意思がないことを表しており、このときマスター端末２は次のステップＳＰ４へ移る。
【００３８】
ステップＳＰ４においてマスター端末２は、映像コンテンツを第１のスレーブ端末３、第２のスレーブ端末４及び５との間で共有するためのボタン操作がユーザによって行われておらず、映像コンテンツを共有する意思がユーザにないと判断し、ディスク状記録媒体６に格納されている「通常再生用コンテンツ画像データ」及び「通常再生用コンテンツ音声データ」に対応した映像コンテンツをディスクドライブ２４により通常通り再生して表示部１２に表示し、次のステップＳＰ２２へ移って処理を終了する。
【００３９】
ここで「通常再生用コンテンツ画像データ」及び「通常再生用コンテンツ音声データ」は、ディスク状記録媒体６に格納されているコンテンツデータの中ではビットレートの最も高い高画質なデータストリームであり、マスター端末２のユーザは当該映像コンテンツの格納されたディスク状記録媒体６の所有者すなわち正規のライセンス所持者であるため、「通常再生用コンテンツ画像データ」及び「通常再生用コンテンツ音声データ」の再生権限を有しているといえる。
【００４０】
これに対してステップＳＰ３で肯定結果が得られると、このことは第１のスレーブ端末３、第２のスレーブ端末４及び５との間でマスター端末２が再生する映像コンテンツを第１のスレーブ端末３、第２のスレーブ端末４及び５との間で共有して共同視聴させる意思がユーザにあることを表しており、このときマスター端末２は次のステップＳＰ５へ移る。
【００４１】
ステップＳＰ５においてマスター端末２は、登録情報としてログインＩＤが登録された登録済み端末（第１のスレーブ端末３や第２のスレーブ端末４及び５）を外部記憶媒体の中から検索し、次のステップＳＰ６へ移る。
【００４２】
ステップＳＰ６においてマスター端末２は、外部記憶媒体を検索した結果、ログインＩＤが登録された登録済み端末（第１のスレーブ端末３、第２のスレーブ端末４及び５）を発見したか否かを判定する。
【００４３】
ここで否定結果が得られると、外部記憶媒体にログインＩＤが登録された登録済み端末（第１のスレーブ端末３、第２のスレーブ端末４及び５）は無線通信し得る範囲に存在せず、映像コンテンツを共有すべき対象が存在しないことを表しており、このときマスター端末２はステップＳＰ４へ移ってディスク状記録媒体６に格納されている「通常再生用コンテンツ画像データ」及び「通常再生用コンテンツ音声データ」に対応した映像コンテンツを通常通り再生して表示部１２に表示し、次のステップＳＰ２２へ移って処理を終了する。
【００４４】
これに対してステップＳＰ６で肯定結果が得られると、このことは外部記憶媒体にログインＩＤが登録された登録済み端末（第１のスレーブ端末３、第２のスレーブ端末４及び５）は無線通信し得る範囲に存在し、映像コンテンツを共有すべき対象が存在していることを表しており、このときマスター端末２は次のステップＳＰ７へ移る。
【００４５】
ステップＳＰ７においてマスター端末２は、登録済み端末である第１のスレーブ端末３、第２のスレーブ端末４及び５に対して映像コンテンツの配信希望があるか否かの問い合わせをそれぞれ行い、次のステップＳＰ８へ移る。
【００４６】
このときステップＳＰ３３において第１のスレーブ端末３、第２のスレーブ端末４及び５は、マスター端末２から映像コンテンツの配信希望に関する問い合わせを受信し、次のステップＳＰ３４へ移る。
【００４７】
ステップＳＰ３４において第１のスレーブ端末３、第２のスレーブ端末４及び５は、当該映像コンテンツの配信を当該第１のスレーブ端末３、第２のスレーブ端末４及び５のユーザが希望するか否かを判定し、否定結果を得たときにはステップＳＰ３２へ戻り以降の処理を繰り返すのに対し、肯定結果を得たときには次のステップＳＰ３５へ移る。
【００４８】
ステップＳＰ３５において第１のスレーブ端末３、第２のスレーブ端末４及び５は、マスター端末２が再生する映像コンテンツの配信をユーザが希望するので当該マスター端末２に対してコンテンツ共有要求を行い、次のステップＳＰ３６へ移る。
【００４９】
このときステップＳＰ８においてマスター端末２は、第１のスレーブ端末３、第２のスレーブ端末４及び５からコンテンツ共有要求を受け取った場合、ステップＳＰ９においてコンテンツ共有要求を行った第１のスレーブ端末３、第２のスレーブ端末４及び５が列挙された配信要求端末リストを作成して表示し、次のステップＳＰ１０へ移る。
【００５０】
ステップＳＰ１０においてマスター端末２は、ユーザの操作の応じて配信要求端末リストから映像コンテンツを配信すべき対象となる第１のスレーブ端末３、第２のスレーブ端末４及び５を順番に若しくは一度に選択し、次のステップＳＰ１１へ移る。
【００５１】
ステップＳＰ１１においてマスター端末２は、第１のスレーブ端末３、第２のスレーブ端末４及び５との間で無線通信接続を確立し、このとき同様にステップＳＰ３６において第１のスレーブ端末３、第２のスレーブ端末４及び５は、マスター端末２との間で無線通信接続を確立する。
【００５２】
ステップＳＰ１２においてマスター端末２は、映像コンテンツを配信する際の盗聴防止や不正二次使用を回避するための暗号化を施すべく例えばＷＥＰ(Wired Equivalent Privacy)による暗号鍵を生成したり、第１のスレーブ端末３、第２のスレーブ端末４及び５に配信した映像コンテンツの再生を許可するための再生許可情報をサブライセンスとして生成し、これらを第１のスレーブ端末３、第２のスレーブ端末４及び５へ送信し、次のステップＳＰ１３へ移る。
【００５３】
因みに、セキュリティを確保するためにはＷＥＰに限らず、ＷＰＡ(Wi-Fi Protected Access)やＭＡＣアドレスフィルタリング等のセキュリティ技術を用いるようにしても良い。
【００５４】
ここでマスター端末２は、第１のスレーブ端末３、第２のスレーブ端末４及び５に配信する映像コンテンツのサブライセンスを生成して発行することにより、当該サブライセンスを有している第１のスレーブ端末３、第２のスレーブ端末４及び５だけがマスター端末２から映像コンテンツの配信を受けて再生し得るようになされている。
【００５５】
因みに、マスター端末２が自身で再生すると共に配信する映像コンテンツに関して正規のライセンスを第１のスレーブ端末３、第２のスレーブ端末４及び５が所持している場合、マスター端末２がその正規のライセンスを確認できさえすればサブライセンスを発行する必要はなく、かつ当該映像コンテンツの著作権に係わりなく映像コンテンツを自由に配信することができる。
【００５６】
このときステップＳＰ３７において第１のスレーブ端末３、第２のスレーブ端末４及び５は、マスター端末２から送信されてくる暗号鍵及び再生許可情報を受信し、マスター端末２から配信される映像コンテンツを受信して表示するための受信環境を設定し、次のステップＳＰ３８へ移る。
【００５７】
ステップＳＰ３８において第１のスレーブ端末３、第２のスレーブ端末４及び５は、受信環境を設定したので、映像コンテンツの配信に対する受信準備完了をマスター端末２へ通知し、次のステップＳＰ３９へ移る。
【００５８】
このときステップＳＰ１３においてマスター端末２は、第１のスレーブ端末３、第２のスレーブ端末４及び５から受信準備完了を受信し、次のステップＳＰ１４へ移る。
【００５９】
ステップＳＰ１４（図６）においてマスター端末２は、ディスクドライブ２４によりディスク状記録媒体６の再生を開始し、次のステップＳＰ１５へ移る。
【００６０】
ステップＳＰ１５においてマスター端末２は、第１のスレーブ端末３、第２のスレーブ端末４及び５が正規のライセンスではなく当該マスター端末２から供給されたサブライセンスにより映像コンテンツを再生する権利しか持ち得ていないため、ディスク状記録媒体６に格納された最も高品位な「通常再生用コンテンツ画像データ」及び「通常再生用コンテンツ音声データ」ではなく、ビットレートを低減させた「配信用コンテンツ画像データＡ」及び「配信用コンテンツ音声データＡ」からなるデータストリーム又は「配信用コンテンツ画像データＢ」及び「配信用コンテンツ音声データＢ」とからなるデータストリームを第１のスレーブ端末３、第２のスレーブ端末４及び５に対して配信し、次のステップＳＰ１６へ移る。
【００６１】
なおマスター端末２は、第１のスレーブ端末３と比較して第２のスレーブ端末４及び５のＬＣＤ１３、１４における表示能力が著しく低下している場合には、第１のスレーブ端末３に対しては「配信用コンテンツ画像データＡ」及び「配信用コンテンツ音声データＡ」からなるデータストリームを配信すると共に、第２のスレーブ端末４及び５に対しては「配信用コンテンツ画像データＢ」及び「配信用コンテンツ音声データＢ」とからなるデータストリームを配信することもできる。
【００６２】
このときステップＳＰ３９において第１のスレーブ端末３、第２のスレーブ端末４及び５は、マスター端末２から配信される映像コンテンツ（「配信用コンテンツ画像データＡ」及び「配信用コンテンツ音声データＡ」からなるデータストリーム又は「配信用コンテンツ画像データＢ」及び「配信用コンテンツ音声データＢ」のデータストリーム）を受信し、これをリアルタイムに表示する。そして、マスター端末２から接続の切断要求を受信するとステップＳＰ４０へ移る。
【００６３】
ところでマスター端末２は、第１のスレーブ端末３、第２のスレーブ端末４及び５に対して映像コンテンツを配信する際の無線出力を所定基準値以下に抑制するようになされており、これにより無線到達範囲が不必要に拡がることを抑制し得ると共に、映像コンテンツの送信可能範囲を限定して第三者による盗聴を防止すると共に高速通信及び低消費電力化を図ることができるようになされている。
【００６４】
このときステップＳＰ１６においてマスター端末２は、第１のスレーブ端末３、第２のスレーブ端末４及び５に対する映像コンテンツの配信を終了したか否かを判定し、否定結果が得られると、ステップＳＰ１５に戻って映像コンテンツの配信を継続するのに対し、肯定結果が得られると次のステップＳＰ１７へ移る。
【００６５】
ステップＳＰ１７においてマスター端末２は、映像コンテンツの配信を終了したので当該マスター端末２と第１のスレーブ端末３、第２のスレーブ端末４及び５との間の接続状態を切断する切断要求を送信し、次のステップＳＰ１８へ移る。
【００６６】
このときステップＳＰ４０において第１のスレーブ端末３、第２のスレーブ端末４及び５は、マスター端末２からの切断要求を受信し、次のステップＳＰ４１でマスター端末２から配信されてくる映像コンテンツの受信処理及び表示処理を終了し、次のステップＳＰ４２へ移る。
【００６７】
ステップＳＰ４２において第１のスレーブ端末３、第２のスレーブ端末４及び５は、映像コンテンツの受信処理及び表示処理を終了したので、マスター端末２との接続状態を切断し、その旨を示す切断完了通知をマスター端末２に対して行い、次のステップＳＰ４３へ移って待機状態に遷移した後にステップＳＰ４４で処理を終了する。
【００６８】
一方、ステップＳＰ１８においてマスター端末２は、第１のスレーブ端末３、第２のスレーブ端末４及び５からの切断完了通知を受信し、次のステップＳＰ１９へ移って待機状態に遷移した後、ステップＳＰ２０で処理を終了する。
【００６９】
（６）動作及び効果
以上の構成において、コンテンツ共同視聴システム１のマスター端末２は、第１のスレーブ端末３、第２のスレーブ端末４及び５のログインＩＤを登録情報として予め登録し、当該登録した第１のスレーブ端末３、第２のスレーブ端末４及び５だけを映像コンテンツの配信対象として特定したうえで、ディスクドライブ２４によりディスク状記録媒体６から映像コンテンツを再生するとほぼ同時に当該映像コンテンツを第１のスレーブ端末３、第２のスレーブ端末４及び５に対して配信する。
【００７０】
これによりコンテンツ共同視聴システム１では、マスター端末２と第１のスレーブ端末３、第２のスレーブ端末４及び５との間で同一の映像コンテンツを共有することができると共に同時に視聴することができる。
【００７１】
このときマスター端末２は、サブライセンスを与えた第１のスレーブ端末３、第２のスレーブ端末４及び５に対しては当該マスター端末２が再生して表示する映像コンテンツの画質と同一ではなく、ビットレートを低減させた「配信用コンテンツ画像データＡ」及び「配信用コンテンツ音声データＡ」からなるデータストリーム又は「配信用コンテンツ画像データＢ」及び「配信用コンテンツ音声データＢ」からなるデータストリームを配信する。
【００７２】
これによりコンテンツ共同視聴システム１では、サブライセンスにより限られた狭地域のネットワーク範囲内とはいえ、正規のライセンスを有していない第１のスレーブ端末３、第２のスレーブ端末４及び５に対しては、最も画質の優れた状態で映像コンテンツを配信することを防止し、著作権を考慮しつつ当該映像コンテンツを複数のユーザ間で共有することができる。
【００７３】
このようにコンテンツ共同視聴システム１は、同一時間帯及び同一空間において、予め限定した複数のユーザ間で映像コンテンツの著作権に留意しつつ当該映像コンテンツを簡易かつ一時的に共有することができる。
【００７４】
またコンテンツ共同視聴システム１では、マスター端末２が映像コンテンツを再生するとほぼ同時に第１のスレーブ端末３、第２のスレーブ端末４及び５に当該映像コンテンツを配信し、当該映像コンテンツの再生及び停止を第１のスレーブ端末３、第２のスレーブ端末４及び５から制御することはできない。その意味でマスター端末２は、あたかも放送局として機能することになる。
【００７５】
しかしながらマスター端末２では、第１のスレーブ端末３、第２のスレーブ端末４及び５からの一時停止要求を受け付け、これに応じて映像コンテンツの再生を停止することにより当該映像コンテンツの配信を一時的に停止することもでき、オンデマンド的に映像コンテンツを配信することもできる。
【００７６】
さらにコンテンツ共同視聴システム１は、マスター端末２から配信する映像コンテンツを第１のスレーブ端末３、第２のスレーブ端末４及び５で受信させてリアルタイムに表示させるものの、当該映像コンテンツを記録させないようにしたことにより一段と著作権保護の実効を図ることができる。
【００７７】
このようなコンテンツ共同視聴システム１は、その使い道として電車やバス等の移動空間において友人間で容易に映像コンテンツを共同視聴することができるので、ユーザ間のコミュニケーションの円滑化を図ると共に、映像コンテンツ自体の利用を一段と増加させることができ、その結果として産業の発達にも資することとなる。
【００７８】
以上の構成によれば、コンテンツ共同視聴システム１は、映像コンテンツの共有可能な空間と時間に制約を加えつつ、同一時間帯及び同一空間を共有する複数のユーザ間で映像コンテンツを共有させて同時に視聴させることができる。
【００７９】
（７）他の実施の形態
なお上述の実施の形態においては、単層ディスクでなるディスク状記録媒体６を用いるようにした場合について述べたが、本発明はこれに限らず、図７に示すように多層ディスクでなるディスク状記録媒体を用いるようにしても良い。
【００８０】
この場合、ディスク状記録媒体における一面側に「通常再生用コンテンツ画像データ」及び「通常再生用コンテンツ音声データ」が格納され、多面側に「配信用コンテンツ画像データＡ」及び「配信用コンテンツ音声データＡ」、「配信用コンテンツ画像データＢ」及び「配信用コンテンツ音声データＢ」が格納されることになる。
【００８１】
また上述の形態においては、画質の異なる複数種類の「通常再生用コンテンツ画像データ」及び「通常再生用コンテンツ音声データ」、「配信用コンテンツ画像データＡ」及び「配信用コンテンツ音声データＡ」、「配信用コンテンツ画像データＢ」及び「配信用コンテンツ音声データＢ」が格納されたディスク状記録媒体６を再生し、「配信用コンテンツ画像データＡ」及び「配信用コンテンツ音声データＡ」、「配信用コンテンツ画像データＢ」及び「配信用コンテンツ音声データＢ」を映像コンテンツの配信用に用いるようにした場合について述べたが、本発明はこれに限らず、ディスク状記録媒体６には「通常再生用コンテンツ画像データ」及び「通常再生用コンテンツ音声データ」だけを記録しておき、第１のスレーブ端末３、第２のスレーブ端末４及び５に対して映像コンテンツを配信する度に「通常再生用コンテンツ画像データ」及び「通常再生用コンテンツ音声データ」を所定の圧縮符号化方法で再度エンコードすることによりビットレートを低減させた「配信用コンテンツ画像データＡ」及び「配信用コンテンツ音声データＡ」、「配信用コンテンツ画像データＢ」及び「配信用コンテンツ音声データＢ」を生成して配信するようにしても良い。
【００８２】
さらに上述の実施の形態においては、第１のスレーブ端末３、第２のスレーブ端末４及び５が正規のライセンスを所持しておらず、マスター端末２からサブライセンスを供給してビットレートを低減させた「配信用コンテンツ画像データＡ」及び「配信用コンテンツ音声データＡ」、「配信用コンテンツ画像データＢ」及び「配信用コンテンツ音声データＢ」を配信するようにした場合について述べたが、本発明はこれに限らず、第１のスレーブ端末３、第２のスレーブ端末４及び５が正規のライセンスを所持している場合には、「通常再生用コンテンツ画像データ」及び「通常再生用コンテンツ音声データ」をそのまま配信するようにしても良い。
【００８３】
さらに上述の実施の形態においては、マスター端末２と第１のスレーブ端末３、第２のスレーブ端末４及び５との間をIEEE802.11g等によって無線通信接続するようにした場合について述べたが、本発明はこれに限らず、IEEE802.11a、IEEE802.11b、Bluetooth通信やＵＷＢ(Ultra Wide Band)等のその他種々の無線通信規格に準拠した無線通信モジュールによって無線通信接続したり、若しくはイーサネット（登録商標）(100Base-TX)、USB(Uniform Resource Locator)２．０、IEEE1394等によって有線接続するようにしても良い。
【００８４】
マスター端末２は、特にＵＷＢにより無線通信接続を確立する場合には近距離無線通信においてIEEE802.11g等よりも高速・低消費電力の無線通信を確立することが可能であるため、映像コンテンツの配信距離を近距離に限定する場合には一段と有効である。
【００８５】
さらに上述の実施の形態においては、映像コンテンツを配信するようにした場合について述べたが、本発明はこれに限らず、音楽コンテンツであったり、ゲームコンテンツを配信するようにしても良い。
【００８６】
さらに上述の実施の形態においては、第１のスレーブ端末３、第２のスレーブ端末４及び５を示す固有のログインＩＤを登録情報としてマスター端末２が予め登録しておき、当該ログインＩＤを有する第１のスレーブ端末３、第２のスレーブ端末４及び５に対して映像コンテンツを配信するようにした場合について述べたが、本発明はこれに限らず、ログインＩＤに加えてパスワードを併用することによりセキュリティ効果を向上させるようにしても良い。
【００８７】
さらに上述の実施の形態においては、マスター端末２がディスク状記録媒体６から再生した映像コンテンツを第１のスレーブ端末３、第２のスレーブ端末４及び５に対して配信するようにした場合について述べたが、本発明はこれに限らず、インターネット９から段ロードした映像コンテンツを第１のスレーブ端末３、第２のスレーブ端末４及び５に対して配信するようにしても良い。
【００８８】
さらに上述の実施の形態においては、本発明を携帯型コンテンツ再生装置に適用するようにした場合について述べたが、本発明はこれに限らず、コンテンツ再生機能及び無線通信機能を有する端末であればパーソナルコンピュータ、ＰＤＡ（Personal Digital Assistant）、携帯電話機等の他の種々の電子機器に本発明を適用するようにしても良い。
【００８９】
さらに上述の実施の形態においては、本発明のコンテンツ共有システムを、コンテンツ共有決定手段としてのＣＰＵ２０、コンテンツ再生処理手段としてのディスクドライブ２４、コンテンツ配信手段としてのＣＰＵ２０及び無線通信モジュール２５とからなるマスター端末と、受信手段としての無線通信モジュール３４、出力手段としてのＣＰＵ３０、ＬＣＤ１３とからなるスレーブ端末によって構成するようにした場合について述べたが、本発明はこれに限らず、その他種々の回路構成でなるマスター端末とスレーブ端末とによってコンテンツ共有システムを構成するようにしても良い。
【産業上の利用可能性】
【００９０】
本発明のコンテンツ共有システムは、例えばコンテンツ再生機能と無線通信機能を有する端末同士でコンテンツを相互に授受し得る用途に適用することができる。
【図面の簡単な説明】
【００９１】
【図１】本発明の実施の形態におけるコンテンツ共同視聴システムの全体構成を示す略線図である。
【図２】マスター端末（第１のスレーブ端末）の構成を示す略線的ブロック図である。
【図３】第２のスレーブ端末の構成を示す略線的ブロック図である。
【図４】ディスク状記録媒体のデータ構造を示す略線図である。
【図５】コンテンツ配信処理手順（１）を示すフローチャートである。
【図６】コンテンツ配信処理手順（２）を示すフローチャートである。
【図７】他の実施の形態におけるディスク状記録媒体のデータ構造を示す略線図である。
【図８】従来のコンテンツ視聴方法の説明に供する略線図である。
【符号の説明】
【００９２】
１……コンテンツ共同視聴システム、２……マスター端末、３……第１のスレーブ端末、４、５……第２のスレーブ端末、６……ディスク状記録媒体、２０、３０……ＣＰＵ、２４……ディスクドライブ、２５、３４……無線通信モジュール。
【図１】
2005229522.tif 000003
【図２】
2005229522.tif 000004
【図３】
2005229522.tif 000005
【図４】
2005229522.tif 000006
【図５】
2005229522.tif 000007
【図６】
2005229522.tif 000008
【図７】
2005229522.tif 000009
【図８】
2005229522.tif 000010